(57)【要約】【課題】携帯電話等に使用されるスピーカに関し、ヨークが１枚の板材を折り曲げた構成のために各コーナー部に隙間が発生して磁気漏洩を起こすという課題を解決し、磁気漏洩の発生を無くし、品質、性能共に優れたスピーカを提供することを目的とする。【解決手段】磁気ギャップ５を有する磁気回路をフレーム２に結合し、ボイスコイル７を中心に結合し周縁がフレーム２の外周に結合された振動板６からなるスピーカにおいて、上記磁気回路は矩形状の壺型のヨーク１とマグネット３を有し、ヨーク１の上端面から下がった位置から外方へ突出する舌片状の鍔部１ａを設け、この鍔部１ａを被覆するようにヨーク１をフレーム２にインサート成形した構成により、ヨーク１とフレーム２の結合強度が大幅に向上し、しかもヨーク１の各コーナー部には隙間がなくなるため、磁気漏洩を無くして品質、性能共に優れたスピーカを提供できる。【選択図】図１
2006254037.tif 000002
【特許請求の範囲】
【請求項１】
磁気ギャップを有する磁気回路と、この磁気回路を結合した樹脂製のフレームと、上記磁気ギャップから発生する磁界により駆動されるボイスコイルを中心に結合すると共に周縁が上記フレームの外周に結合された振動板からなるスピーカにおいて、上記磁気回路は矩形状の壺型に形成されたヨークとこのヨーク内に結合されたマグネットを少なくとも有し、かつ、ヨークの上端面から所定の寸法下がった位置から外方へ向かって突出する舌片状の鍔部を少なくとも各コーナー部に夫々設け、この鍔部を被覆するようにしてヨークをフレームにインサート成形したスピーカ。
【請求項２】
ヨークの上端面から所定の寸法下がった位置から外方へ向かって突出する舌片状の鍔部を長辺側に対称に設けた請求項１に記載のスピーカ。
【請求項３】
樹脂製のフレームにインサート成形されたヨークの底面がフレームの底面から突出するようにした請求項１に記載のスピーカ。
【請求項４】
ボイスコイルとして、樹脂製の基材の少なくとも一方の面上に所望のパターンのコイルが巻回状態で形成された構成のものを用いた請求項１に記載のスピーカ。
【請求項５】
振動板を樹脂で形成し、この樹脂製の振動板の中央にボイスコイルのコイルを除く基材を結合した請求項４に記載のスピーカ。
【請求項６】
磁気ギャップの上部に磁気ギャップと非接触状態でボイスコイルを近接配置した請求項５に記載のスピーカ。
【発明の詳細な説明】
【技術分野】
【０００１】
本発明は各種音響機器や情報通信機器に使用されるスピーカの中で、特に携帯電話等のスピーカ装着スペースの確保が困難な用途に使用される小型、薄型で矩形状のスピーカに関するものである。
【背景技術】
【０００２】
各種音響機器や情報通信機器の小型化、多機能化に伴ってこれらに使用されるスピーカも従来にも増して小型化が進み、特に携帯電話に使用されるスピーカにおいては小型化のみならず高音質化も要求されてきている。このような背景の中で、スピーカ装着スペースの確保が困難な携帯電話用のスピーカとしては、限られたスペースをより有効に活用するという観点から、一般的な円形のスピーカよりも矩形状のスピーカの開発に重点が置かれるようになってきている。
【０００３】
図５はこの種の従来のスピーカの構成を示した断面図、図６は同スピーカに使用されるヨークの構成を示した斜視図であり、図５と図６において１１はヨークであり、このヨーク１１は予め外形抜きをしたシート状の１枚の磁性金属材料に曲げ起こし部１１ａを４箇所設けて折り曲げ加工することにより、有底状かつ矩形状の枠形に形成したものであり、これによりヨーク１１の材料ロス低減と生産性向上を図ったものである。１２は矩形状のマグネット、１３は矩形状の上部プレートであり、これらを上記ヨーク１１内に積層して結合することにより、矩形状の磁気ギャップ１４を形成した磁気回路を構成しているものである。
【０００４】
１５は上記磁気回路と結合するために上記ヨーク１１が圧入されたフレームであり、両者間には接着剤を介在させて結合したものである。１６は上記磁気ギャップ１４に嵌まり込むように設けられたボイスコイル、１７はこのボイスコイル１６を中央に結合すると共に、周縁が上記フレーム１５の周縁に結合された振動板である。
【０００５】
このように構成された従来のスピーカは、磁気ギャップ１４内に嵌め込まれたボイスコイル１６に音声信号を入力することにより、磁気ギャップ１４から発生する磁界によってボイスコイル１６が上下に振幅し、これによりボイスコイル１６を結合した振動板１７が上下に振幅して音響再生を行うように構成されたものであった。
【０００６】
なお、この出願の発明に関連する先行技術文献情報としては、例えば、特許文献１が知られている。
【特許文献１】特開２００３−３７８９２号公報
【発明の開示】
【発明が解決しようとする課題】
【０００７】
しかしながら上記従来のスピーカでは、磁気回路を構成するヨーク１１が１枚の磁性金属材料を折り曲げて構成したものであるため、矩形状に形成されたヨーク１１の各コーナー部には隙間が発生した構成になり、従って、この隙間から磁気漏洩を起こして磁束密度の低下による音圧低下等の性能ダウンに繋がるばかりでなく、スピーカの周辺に密集して実装される他の電子部品に漏洩した磁気が悪影響を及ぼすという重大な問題を引き起こす恐れがあるという課題を有したものであった。
【０００８】
本発明はこのような従来の課題を解決し、磁気漏洩の発生を無くし、品質、性能共に優れたスピーカを安定して提供することを目的とするものである。
【課題を解決するための手段】
【０００９】
上記課題を解決するために本発明は、磁気ギャップを有する磁気回路と、この磁気回路を結合した樹脂製のフレームと、上記磁気ギャップから発生する磁界により駆動されるボイスコイルを中心に結合すると共に周縁が上記フレームの外周に結合された振動板からなるスピーカにおいて、上記磁気回路は矩形状の壺型に形成されたヨークとこのヨーク内に結合されたマグネットを少なくとも有し、かつ、ヨークの上端面から所定の寸法下がった位置から外方へ向かって突出する舌片状の鍔部を少なくとも各コーナー部に夫々設け、この鍔部を被覆するようにしてヨークをフレームにインサート成形した構成にしたものである。
【発明の効果】
【００１０】
以上のように本発明によるスピーカは、ヨークの上端面から所定の寸法下がった位置から外方へ向かって突出する舌片状の鍔部を少なくとも各コーナー部に夫々設け、この鍔部を被覆するようにしてヨークをフレームにインサート成形した構成により、ヨークとフレームの結合強度が大幅に向上するばかりでなく低背化を図ることが可能になり、しかも矩形状のヨークを壺型に形成したことによって各コーナー部には隙間がなくなり、これにより磁気漏洩を完全に無くして品質、性能共に優れたスピーカを安定して提供することができるという効果が得られるものである。
【発明を実施するための最良の形態】
【００１１】
（実施の形態１）
以下、実施の形態１を用いて、本発明の特に請求項１〜３に記載の発明について説明する。
【００１２】
図１は本発明の実施の形態１によるスピーカの構成を示した断面図、図２は同スピーカに使用されるヨークをインサート成形したフレームを示した断面図、図３（ａ）〜（ｃ）は同スピーカに使用されるヨークを示した平面図と正面断面図と側面断面図であり、図１〜図３において１はヨークを示し、このヨーク１は磁性金属材料を用いて矩形状の壺型に形成されると共に、このヨーク１の上端面から所定の寸法下がった位置から外方へ向かって突出する舌片状の鍔部１ａを各コーナー部、ならびに長辺側に対称に設けた構成にしたものである。
【００１３】
２は樹脂製のフレーム、２ａはこのフレーム２に設けられた通気孔であり、このフレーム２は上記ヨーク１に設けられた舌片状の鍔部１ａを被覆するようにして、このフレーム２を成形する際にヨーク１をインサート成形しているものであり、かつ、インサート成形後にヨーク１の底面がフレーム２の底面から突出するように構成することにより、ヨーク１の底面に品番やロット番号等の表示のための印刷、押印等の作業が容易に行えるようにしているものである。
【００１４】
３は上記ヨーク１の内部に結合されたマグネット、４はこのマグネット３の上部に結合された上部プレートであり、これにより磁気ギャップ５を有する磁気回路が構成されているものである。
【００１５】
６は外周にエッジ６ａを一体で設けた振動板、７はこの振動板６の中心に結合されたボイスコイルであり、このボイスコイル７は上記磁気回路に形成された磁気ギャップ５内に嵌まり込むように構成されており、これによりこのボイスコイル７に音声信号を入力することによって磁気ギャップ５から発生する磁界によりボイスコイル７が上下に振幅すると共に、このボイスコイル７を結合した振動板６も上下に振幅して音響再生を行うようになるものである。なお、８は上記振動板６の保護のためのカバーである。
【００１６】
このように構成された本実施の形態によるスピーカは、ヨーク１の上端面から所定の寸法下がった位置から外方へ向かって突出する舌片状の鍔部１ａを設け、この鍔部１ａを被覆するようにしてヨーク１をフレーム２にインサート成形した構成により、ヨーク１とフレーム２の結合強度が大幅に向上するばかりでなく低背化を図ることが可能になり、しかも矩形状のヨーク１を壺型に形成したことによって各コーナー部には隙間がなくなり、これにより磁気漏洩を完全に無くして品質、性能共に優れたスピーカを安定して提供することができるという格別の効果が得られるものである。
【００１７】
（実施の形態２）
以下、実施の形態２を用いて、本発明の特に請求項４〜６に記載の発明について説明する。
【００１８】
本実施の形態は上記実施の形態１によるスピーカのボイスコイルの構成が異なるようにしたものであり、これ以外の構成は実施の形態１と同様であるために同一部分には同一の符号を付与してその詳細な説明は省略し、異なる部分についてのみ以下に図面を用いて説明する。
【００１９】
図４は本発明の実施の形態２によるスピーカの構成を示した断面図であり、図４において９はボイスコイルであり、このボイスコイル９は樹脂製の基材の表裏面上に所望のパターンのコイルが巻回状態で夫々形成されることによって構成されたものである。
【００２０】
１０は外周にエッジ１０ａを一体で設けた振動板であり、この振動板１０の中心には上記ボイスコイル９のコイルを除く基材が結合され、このボイスコイル９が磁気ギャップ５の上部に磁気ギャップ５と非接触状態で近接配置されるように構成されているものである。
【００２１】
このように構成された本実施の形態によるスピーカは、上記実施の形態１によるスピーカと同様に、磁気漏洩を完全に無くして品質、性能共に優れたスピーカを安定して提供することができるという効果に加え、ボイスコイル９の軽量化を図って更なる性能向上に貢献し、かつ、ボイスコイルの形状を自在に変化させ易いために、装着スペースに制約がある場合でもあらゆる形状に対応したスピーカを作製することができるようになるという格別の効果が得られるものである。
【産業上の利用可能性】
【００２２】
本発明によるスピーカは、磁気漏洩を完全に無くして品質、性能共に優れたスピーカを安定して提供することができるという効果を有し、携帯電話等の情報通信機器に使用されるスピーカ等として有用である。
【図面の簡単な説明】
【００２３】
【図１】本発明の実施の形態１によるスピーカの構成を示した断面図
【図２】同スピーカに使用されるヨークをインサート成形したフレームを示した断面図
【図３】（ａ）同スピーカに使用されるヨークを示した平面図、（ｂ）同正面断面図、（ｃ）同側面断面図
【図４】本発明の実施の形態２によるスピーカの構成を示した断面図
【図５】従来のスピーカの構成を示した断面図
【図６】同スピーカに使用されるヨークを示した斜視図
【符号の説明】
【００２４】
１  ヨーク
１ａ  鍔部
２  フレーム
２ａ  通気孔
３  マグネット
４  上部プレート
５  磁気ギャップ
６、１０  振動板
６ａ、１０ａ  エッジ
７、９  ボイスコイル
８  カバー
【図１】
2006254037.tif 000003
【図２】
2006254037.tif 000004
【図３】
2006254037.tif 000005
【図４】
2006254037.tif 000006
【図５】
2006254037.tif 000007
【図６】
2006254037.tif 000008